(57)【特許請求の範囲】
【請求項１】
入力された画像データに対して拡大処理を行なう画像処理装置であって、
前記入力された画像データを所定の領域に区分けし、前記所定の領域のそれぞれに対して、その領域に含まれる画素を複数の画素に拡張処理するとともに、前記複数の画素それぞれの濃度値に対して、予め用意された複数の濃度値を有する画像データを用いて濃度値の足し込み処理を行なうことにより、前記入力された画像データよりも高解像度に拡大された足し込み処理画像データを作成する足し込み処理部と、
前記足し込み処理部において、前記足し込み処理された前記足し込み処理画像データを基にして前記入力された画像データよりも高解像度の画像データを作成する画像形成部と、
を備えている画像処理装置。
【請求項２】
前記入力された画像データに対して補間処理を行なう画像補間処理部をさらに備えており、
前記画像形成部は、前記画像補間処理部において前記補間処理された画像データと前記足し込み処理部において足し込み処理された前記足し込み処理画像データとを合成して、前記入力された画像データよりも前記高解像度の画像データを作成する、
請求項１に記載の画像処理装置。
【請求項３】
前記入力された画像データに対して、所定の範囲ごとに輪郭部分とそれ以外の部分とを判定する判定部をさらに備えており、
前記画像形成部は、前記判定部の判定結果に基づいて、前記画像補間処理部において前記補間処理された画像データと、前記足し込み処理部において足し込み処理された前記足し込み処理画像データとを、合成する比率を変更して前記入力された画像データよりも前記高解像度の画像データを作成する、
請求項２に記載の画像処理装置。
【請求項４】
前記所定の領域は、N×Nの画素を含む正方形の領域である、
請求項１から３のいずれか１項に記載の画像処理装置。
（ただし、Ｎは自然数である。）
【請求項５】
入力された画像データに対して拡大処理を行なう画像処理プログラムであって、
前記入力された画像データを所定の領域に区分けし、前記所定の領域のそれぞれに対して、その領域に含まれる画素を複数の画素に拡張処理するとともに、前記複数の画素それぞれの濃度値に対して、複数の濃度値を有する画像データを用いて濃度値の足し込み処理を行なうことにより、前記入力された画像データよりも高解像度に拡大された足し込み処理画像データを作成する第１のステップと、
前記第１のステップにおいて、前記足し込み処理された前記足し込み処理画像データを基にして前記入力された画像データよりも高解像度の画像データを作成する第２のステップと、
を備えた画像処理方法をコンピュータに実行させる画像処理プログラム。
【発明の詳細な説明】
【技術分野】
【０００１】
本発明は、画像データに対して拡大処理を行なう画像処理装置および画像処理プログラムに関する。
【背景技術】
【０００２】
近年、デジタルカメラやデジタルカメラ付き携帯電話の普及に伴いデジタルデータを基にしたプリントサービスの需要が増えてきている。そして、このようなデジタルデータを記録する、例えば、各種半導体メモリでは、記憶容量の高容量化が進行しており、撮影画像をフィルム等に記録する場合よりも記録可能な撮影枚数は飛躍的に増加している。そのため、従来のフィルム等を基にしたオーダのプリント枚数よりも、各種半導体メモリ等に記録されたデジタルデータを基にしたオーダのプリント枚数は増加する傾向にある。例えば、結婚式や運動会といった各種イベントにおいて撮影したデジタルデータを含むオーダでは、プリント枚数が１００枚を超過するような場合もある。
【０００３】
また、このような携帯電話等に搭載されたデジタルカメラによって撮影された画像データには、低解像度の画像データが多く含まれている。そのため、このような低解像度の画像データを、例えば、通常のプリントサイズに拡大してプリントするとジャギー（輪郭部等に現れる階段状の凹凸）等が目立つ目の粗い画像データとなる。
そこで、このような画像データに対して拡大処理を行なう画像処理装置の中には、画像データに対して補間処理を行なう画像処理装置が存在する。
【０００４】
例えば、特許文献１には、入力された画像データの単純拡大画像データを作成して、さらに単純拡大画像データの所定領域に含まれる各画素の平均値を用いて補間処理を行なう画像処理装置が開示されている。
【特許文献１】特開昭６３−１５５０８９号公報（昭和６３年６月２８日公開）
【発明の開示】
【発明が解決しようとする課題】
【０００５】
しかしながら、上記従来の画像処理装置では、以下に示すような問題点を有している。
すなわち、画像データに対して補間処理を行なう場合には、単純拡大画像データを作成して、さらに単純拡大画像データの所定領域に含まれる各画素の平均値を求める必要があるために、画像データに対する補間処理に要する時間が長くなるという問題があった。
本発明の課題は、画像データの拡大処理に要する処理時間を従来よりも短縮することが可能な画像処理装置および画像処理プログラムを提供することにある。
【課題を解決するための手段】
【０００６】
第１の発明に係る画像処理装置は、入力された画像データに対して拡大処理を行なう画像処理装置であって、足し込み処理部と、画像形成部と、を備えている。足し込み処理部は、入力された画像データを所定の領域に区分けし、所定の領域のそれぞれに対して、その領域に含まれる画素を複数の画素に拡張処理するとともに、複数の画素それぞれの濃度値に対して、予め用意された複数の濃度値を有する画像データを用いて濃度値の足し込み処理を行なうことにより、入力された画像データよりも高解像度に拡大された足し込み処理画像データを作成する。画像形成部は、足し込み処理部において、足し込み処理された足し込み処理画像データを基にして入力された画像データよりも高解像度の画像データを作成する。
【０００７】
ここでは、複数の濃度値を有する画像データによって、入力された画像データの所定の領域ごとに足し込み処理を行なって高解像度の画像データを作成する。
ここで、複数の濃度値を有する画像データには、画像データの中心部から周辺部にかけて画像の濃淡を段階的に変化させた画像、例えば、正方形の画像データにおいて中心部が黒色、中間部分が灰色、縁側が白色の画像が含まれる。また、複数の濃度値を有する画像データには、特定のアニメキャラクタ等を表した画像や、特定の文字を表した画像も含まれる。さらに、上記所定の領域には、１画素の領域やＮ×Ｎの複数の画素によって構成される画素等も含まれる。
【０００８】
近年、デジタルカメラ等の普及に伴いデジタルデータを基にしたオーダが増加する傾向にある。こうしたデジタルデータを基にしたオーダのプリント枚数は、従来のフィルム等によるオーダよりも多く、中には、プリント枚数が１００枚を超えるオーダも存在する。
通常、このような画像処理装置において、デジタルカメラ等によって撮影された画像データを基にしてプリント出力が行なわれる。また、携帯電話等に搭載されているデジタルカメラによって撮影された画像データには、低解像度の画像データを含むものも多い。こうした低解像度の画像データを拡大してプリントすると輪郭部分等に現れるジャギー（階段状のギザギザ）が目立つ、いわゆる目の粗い画像になる。そのため、従来は、バイリニア法やバイキュービック法等の画像補間方法によって、例えば、画像データの単純拡大画像データを作成して、さらに単純拡大画像データの所定領域に含まれる各画素の濃度値の平均を用いて補間処理を行なうことで、画像の目の粗さを改善していた。
【０００９】
しかし、このようなバイリニア法等によって画像データに対して補間処理を行なう方法では、例えば、単純拡大画像データを形成して所定領域に含まれる各画素の濃度値の平均を求める必要があるため、画像データの処理に要する時間が長くなるという問題があった。
そこで、本発明の画像処理装置では、複数の濃度値を有する画像データによって入力された画像データの所定の領域ごとに足し込み処理を行って高解像度の画像データを作成した上で拡大画像を形成する。
【００１０】
これにより、単純拡大画像データを形成して所定領域に含まれる画素の濃度値の平均を求めなくても画像データの目の粗さを改善することができる。
このため、単純拡大画像データを形成して所定領域に含まれる画素の濃度値の平均を算出するために要する時間が不要になるため、画像データの処理時間を短縮することができる。
この結果、例えば、プリント枚数が１００枚を超えるような場合には、特に画像データの処理時間を大幅に短縮することができるため、ユーザが来店している間にプリント処理を完了させることも可能になる。
【００１１】
第２の発明に係る画像処理装置は、第１の発明に係る画像処理装置であって、入力された画像データに対して補間処理を行なう画像補間処理部をさらに備えている。画像形成部は、画像補間処理部において補間処理された画像データと足し込み処理部において足し込み処理された足し込み処理画像データとを合成して、入力された画像データよりも高解像度の画像データを作成する。
【００１２】
ここでは、入力された画像データに対して、足し込み処理と補間処理とを別々に行なって得られた２つの画像データを合成する。
ここで、補間処理には、バイキュービック法やバイリニア法による画像データの補間方法が含まれる。
これにより、足し込み処理と補間処理との二つの異なる画像処理方法によって作成された画像データを基にして、中間的な特徴を持つ画像データを得ることができる。そのため、例えば、足し込み処理によって比較的輪郭のはっきりとした、いわゆる硬い画像データと、補間処理によって得られた比較的画像の階調変化が滑らかな、いわゆる柔らかい画像データとがそれぞれ得られている場合には、両者の中間的な特徴を持つ画像データを得ることがでる。
この結果、例えば、画像データの目の粗さが目立たないように、ユーザの好みに応じて画像データの仕上がりを微調整することができる。
【００１３】
第３の発明に係る画像処理装置は、第２の発明に係る画像処理装置であって、入力された画像データに対して、所定の範囲ごとに輪郭部分とそれ以外の部分とを判定する判定部をさらに備えている。画像形成部は、判定部の判定結果に基づいて、画像補間処理部において補間処理された画像データと、足し込み処理部において足し込み処理された足し込み処理画像データとを、合成する比率を変更して入力された画像データよりも高解像度の画像データを作成する。
ここでは、所定の範囲ごとに異なる条件で高解像度の画像データを作成する。
【００１４】
ここで、所定の範囲とは、例えば、入力された画像データを正方形の領域に均等に分割した範囲である。
これにより、例えば、被写体が人である場合において、顔の輪郭を含む輪郭（エッジ）部分と頬等の肌表面を含むそれ以外の部分とを異なる条件で合成して高解像度の画像データを作成することができる。
このため、入力された画像データに対して被写体の形状等の特徴にさらに基づいた拡大処理を行なうことができる。
この結果、例えば、画像データの目の粗さが目立たないように、ユーザの好みに応じて画像データの仕上がりをより細かく微調整することができる。
【００１５】
第４の発明に係る画像処理装置は、第１から第３の発明のいずれか１つに係る画像処理装置であって、所定の領域は、N×Nの画素を含む正方形の領域である（ただし、Ｎは自然数である。）。
ここでは、N×Nの画素を含む正方形の領域を所定の領域として設定し、上述した処理を行う。
ここで、N×Nの画素には、１画素も含まれる。
【００１６】
これにより、例えば、画像処理装置に入力された画像データのサイズに応じて所定の領域のサイズを変更して足し込み処理を行なうことができる。例えば、入力された画像データのサイズが大きい場合には所定の領域のサイズを大きく設定する。一方、入力された画像データのサイズが小さい場合には所定の領域のサイズを小さく設定する。このため、足し込み処理に要する処理時間を抑制することができる。
この結果、入力された画像データに対する足し込み処理をさらに効率的に行なうことができる。
【００１７】
第５の発明に係る画像処理方法をコンピュータに実行させる画像処理プログラムは、入力された画像データに対して拡大処理を行なう画像処理プログラムであって、第１のステップと、第２のステップと、を備えている。第１のステップは、入力された画像データを所定の領域に区分けし、所定の領域のそれぞれに対して、その領域に含まれる画素を複数の画素に拡張処理するとともに、複数の画素それぞれの濃度値に対して、複数の濃度値を有する画像データを用いて濃度値の足し込み処理を行なうことにより、入力された画像データよりも高解像度に拡大された足し込み処理画像データを作成する。第２のステップは、第１のステップにおいて、足し込み処理された足し込み処理画像データを基にして入力された画像データよりも高解像度の画像データを作成する。
【００１８】
ここでは、複数の濃度値を有する画像データによって、入力された画像データの所定の領域ごとに足し込み処理を行なって高解像度の画像データを作成する。
ここで、複数の濃度値を有する画像データには、画像データの中心部から周辺部にかけて画像の濃淡を段階的に変化させた画像、例えば、正方形の画像データにおいて中心部が黒色、中間部分が灰色、縁側が白色の画像が含まれる。また、複数の濃度値を有する画像データには、特定のアニメキャラクタ等を表した画像や、特定の文字を表した画像も含まれる。さらに、上記所定の領域には、１画素の領域やＮ×Ｎの複数の画素によって構成される画素等も含まれる。
【００１９】
近年、デジタルカメラ等の普及に伴いデジタルデータを基にしたオーダが増加する傾向にある。こうしたデジタルデータを基にしたオーダのプリント枚数は、従来のフィルム等によるオーダよりも多く、中には、プリント枚数が１００枚を超えるオーダも存在する。
通常、このような画像処理装置において、デジタルカメラ等によって撮影された画像データを基にしてプリント出力が行なわれる。また、携帯電話等に搭載されているデジタルカメラによって撮影された画像データには、低解像度の画像データを含むものも多い。こうした低解像度の画像データを拡大してプリントすると輪郭部分等に現れるジャギー（階段状のギザギザ）が目立つ、いわゆる目の粗い画像になる。そのため、従来は、バイリニア法やバイキュービック法等の画像補間方法によって、例えば、画像データの単純拡大画像データを作成して、さらに単純拡大画像データの所定領域に含まれる各画素の濃度値の平均を用いて補間処理を行なうことで、画像の目の粗さを改善していた。
【００２０】
しかし、このようなバイリニア法等によって画像データに対して補間処理を行なう方法では、例えば、単純拡大画像データを形成して所定領域に含まれる各画素の濃度値の平均を求める必要があるため、画像データの処理に要する時間が長くなるという問題があった。
そこで、本発明の画像処理プログラムでは、複数の濃度値を有する画像データによって入力された画像データの所定の領域ごとに足し込み処理を行って高解像度の画像データを作成した上で拡大画像を作成する。
【００２１】
これにより、単純拡大画像データを形成して所定領域に含まれる画素の濃度値の平均を求めなくても画像データの目の粗さを改善することができる。
このため、単純拡大画像データを形成して所定領域に含まれる画素の濃度値の平均を算出するために要する時間が不要になるため、画像データの処理時間を短縮することができる。
【００２２】
この結果、例えば、プリント枚数が１００枚を超えるような場合には、特に画像データの処理時間を大幅に短縮することができるため、ユーザが来店している間にプリント処理を完了させることも可能になる。
本発明に係る画像処理装置は、上記発明に係る画像処理装置であって、画像補間処理部は、入力された画像データに対してバイリニア法によって補間処理を行なう。
【００２３】
ここでは、入力された画像データに対してバイリニア法によって補間処理を行なう。
これにより、バイリニア法によって得られた、例えば、比較的画像の階調変化が滑らかな画像データをさらに基にして、入力された画像データよりも高解像度の画像データを合成することができる。
本発明に係る画像処理装置は、上記発明に係る画像処理装置であって、画像補間処理部は、入力された画像データに対してバイキュービック法によって補間処理を行なう。
【００２４】
ここでは、入力された画像データに対してバイキュービック法によって補間処理を行なう。
これにより、バイキュービック法によって得られた、例えば、比較的画像の階調変化が滑らかな画像データをさらに基にして、入力された画像データよりも高解像度の画像データを合成することができる。
【発明の効果】
【００２５】
第１の発明に係る画像処理装置によれば、例えば、プリント枚数が１００枚を超えるような場合には、特に画像データの処理時間を大幅に短縮することができるため、ユーザが来店している間にプリント処理を完了させることも可能になる。
第２の発明に係る画像処理装置によれば、例えば、画像データの目の粗さが目立たないように、ユーザの好みに応じて画像データの仕上がりを微調整することができる。
【００２６】
第３の発明に係る画像処理装置によれば、例えば、画像データの目の粗さが目立たないように、ユーザの好みに応じて画像データの仕上がりをより細かく微調整することができる。
第４の発明に係る画像処理装置によれば、入力された画像データに対する足し込み処理をさらに効率的に行なうことができる。
【００２７】
第５の発明に係る画像処理プログラムによれば、例えば、プリント枚数が１００枚を超えるような場合には、特に画像データの処理時間を大幅に短縮することができるため、ユーザが来店している間にプリント処理を完了させることも可能になる。
【発明を実施するための最良の形態】
【００２８】
本発明の一実施形態に係る写真プリントシステム１について、図１〜図８を用いて説明すれば以下の通りである。
［写真プリントシステム１全体の構成］
本発明の一実施形態に係る写真処理装置は、図１に示すように、いわゆるデジタルミニラボと呼ばれる写真プリントシステム１である。
【００２９】
写真プリントシステム１は、操作ステーション２と、プリントステーション３とを備えている。
操作ステーション２は、現像された写真フィルム２ａやデジタルカメラ等で撮影されたデジタル画像データが保存されたメモリカード２ｂ等のメディアから画像データを取り込んでプリントデータを作成し、ケーブル４を介して接続されたプリントステーション３に対して送信する。
【００３０】
プリントステーション３は、操作ステーション２から受信したプリントデータに基づいて、印画紙Ｐに対して露光処理および現像処理を行って写真プリントを行う。
［操作ステーション２の構成］
操作ステーション２は、図１に示すように、デスク上に配置された、メディアリーダ２０と、フィルムスキャナ２１と、モニタ２２と、キーボード２３ａと、マウス２３ｂと、パソコン（画像処理装置）２３とを有している。
【００３１】
フィルムスキャナ２１は、写真フィルム２ａに現像された撮影コマに対応する画像（以下、撮影コマ画像と示す）をデジタル画像データとして取り込む。
メディアリーダ２０は、本写真プリントシステム１のコントローラとして機能するパソコン２３に搭載されており、デジタルカメラ等で撮影された撮影コマ画像のデジタルデータをメモリカード２ｂや各種半導体メモリ、ＣＤ−Ｒ等のメディアから取り込む。
【００３２】
パソコン２３は、モニタ２２、キーボード２３ａ、マウス２３ｂと接続されている。ユーザは、モニタ２２に表示される操作入力画面１００（後段にて詳述）において撮影コマ画像を見ながら、キーボード２３ａ、マウス２３ｂ等のポインティングデバイスを用いてプリントサイズ、画像処理等の各種設定を行う。また、パソコン２３は、ＲＯＭ、ＲＡＭ、ＨＤＤ等の記憶デバイス（図示せず）を有している。ここで、キーボード２３ａやマウス２３ｂを介してユーザによって入力された指示に従って、記憶デバイスに記憶された画像処理プログラムがＣＰＵによって読み込まれる。これにより、フィルムスキャナ２１やメディアリーダ２０等から取り込まれた画像データに対して拡大処理を行なってプリントするために必要な機能が機能ブロックとして形成される。
【００３３】
パソコン２３は、上記機能ブロックとして、図３に示すように、記憶部２４と、ＧＵＩ部２５と、足し込み処理部２６と、画像補間処理部２７と、判定部２８と、画像形成部２９と、プリントデータ生成部３０と、を機能ブロックとして有している。
記憶部２４は、入力された原画像データと、これに対して各種の画像処理を加えた画像データ等をそれぞれ記憶する。なお、原画像データは、１４４×１７６画素によって表現された長方形の画像である。
【００３４】
ＧＵＩ部（Graphical User Interface）２５は、各種ウインドウや各種操作ボタンなどを含むグラフィック操作画面を作成したり、このグラフィック操作画面を通じてキーボード２３ｂやマウス２３ｃ等を用いたオペレータの操作入力に基づいて制御コマンドを生成したりするためのグラフィックユーザインターフェースを構築する。
足し込み処理部２６は、記憶部２４において記憶されている原画像データに対して足し込み処理を行なう。そして、足し込み処理された画像データは、記憶部２４に記憶される。
【００３５】
ここで、本実施形態における足し込み処理について、図４を用いてより具体的に説明すると以下の通りである。なお、本実施形態において画像データは、Ｒ（レッド）、Ｇ（グリーン）、Ｂ（ブルー）、それぞれ８ビット（２５６階調）の色データ、すなわち濃度値によって表現される２４ビットの画像データである。また、以下において、「Ｏ１〜Ｏ１６」、「Ｍ１〜Ｍ４」、「Ｐ１〜Ｐ４」は、それぞれ、原画像に含まれる画素、原画像に対して足し込み処理を行なった画像に含まれる画素、足し込み処理に用いる画像データに含まれる画素である。さらに、例えば、「Ｏ１（Ｒ）」は、画素Ｏ１の赤色の濃度値を示し、「Ｏ１（Ｒ、Ｇ、Ｂ）」は画素Ｏ１の赤、緑、青の濃度値をそれぞれ示している。「Ｍ」、「Ｐ」についても同様である。
【００３６】
足し込み処理部２６は、図４に示すように、図３に示す記憶部２４において記憶されている原画像データを読み出して、原画像データに含まれる画素Ｏ１の「Ｒ」の濃度値に対して、２×２の画素を有する正方形の画像データの各画素の「Ｒ」の濃度値を以下に示す関係式（１）〜（４）によって計算する。なお、ここでは、２×２の画素を有する正方形の画像データには、Ｐ1〜Ｐ4の画素が含まれている。そして、「Ｒ」の濃度値は、それぞれＰ１（Ｒ）＝０、Ｐ２（Ｒ）＝２０、Ｐ３（Ｒ）＝５０、Ｐ４（Ｒ）＝８０に設定されている。なお「Ｇ」「Ｂ」の濃度値についてもＰ１〜Ｐ４の濃度値はそれぞれ上記と同じ値で設定されている。
【００３７】
Ｍ１（Ｒ）＝Ｏ１（Ｒ）+（（Ｐ１（Ｒ）＋１）／８）−１６・・・・・（１）
Ｍ２（Ｒ）＝Ｏ１（Ｒ）+（（Ｐ２（Ｒ）＋１）／８）−１６・・・・・（２）
Ｍ３（Ｒ）＝Ｏ１（Ｒ）+（（Ｐ３（Ｒ）＋１）／８）−１６・・・・・（３）
Ｍ４（Ｒ）＝Ｏ１（Ｒ）+（（Ｐ４（Ｒ）＋１）／８）−１６・・・・・（４）
原画像に含まれる画素Ｏ１に対応する画素Ｍ１〜Ｍ４の濃度値は、以上のようにして、それぞれ算出される。そして、算出された画素Ｍ１〜Ｍ４の濃度値は、記憶部２４にそれぞれ記憶される。なお、「Ｇ」、「Ｂ」の各色の濃度値についても同様にして算出される。
【００３８】
本実施形態では、以上のように、原画像データの１画素の領域（所定の領域）を４画素の領域に拡張する足し込み処理を、原画像データ含まれるそれぞれの画素について行なう。これにより、例えば、バイリニア法等のような従来の画像処理方法と比較して、単純拡大画像の形成や濃度値の平均の算出といった手間が不要となる。そのため、拡大処理を行なう際に要する処理時間を短縮することができる。また、例えば、原画像データのデータサイズが大きい場合には、原画像データに含まれる所定の領域の大きさを１画素から２×２画素の正方形領域に変更して足し込み処理に要する時間を短縮することもできる。
【００３９】
画像補間処理部２７は、記憶部２４において記憶されている原画像データに対してバイリニア法、例えば、原画像データの隣接する画素間において、ＲＧＢ各色の濃度値の加重平均をそれぞれ算出して、これらを基にして補間処理を行なう。そして、補間処理された画像データは、記憶部２４に記憶される。
判定部２８は、原画像データの所定の範囲ごとに輪郭部分とそれ以外の部分とを、所定（５×５の正方形の画素）の範囲ごとに識別する。識別する方法としては、例えば、所定の範囲に含まれる画素の濃度値の最大値と最小値との差を算出して、この差が所定の数値を上回る場合には、顔等の輪郭部（図６に示す領域ａ，ｂ参照）として判断し、下回る場合には、頬等のそれ以外の部分（図６に示す領域ｃ参照）と判断する。そして、判定部２８によって判断された各所定の範囲ごとの識別結果は、記憶部２４に記憶される。これにより、輪郭を含む部分については輪郭がはっきりとしたいわゆる硬い印象を、それ以外の部分には濃度値の変化が滑らかないわゆる柔らかい印象を、それぞれ与える高解像度の画像データを作成することができる。
【００４０】
画像形成部２９は、原画像に対して足し込み処理を行なって得た足し込み処理画像データを基にして、原画像よりも高解像度、すなわち表示する画素数が増加した画像データを作成する。そして、画像形成部２９は、上記高解像度の画像データを後段にて詳述する拡大処理画像表示エリア１０２において表示する。これにより、単純拡大画像データを形成して濃度値の平均を算出するといった手間を省けるので、拡大処理を行なう際に要する画像データの処理時間を短縮することができる。
【００４１】
さらに、画像形成部２９は、判定部２８の識別結果を基にして足し込み処理部２６において足し込み処理された画像データと画像補間処理部２７において補間処理された画像データとを所定の比率で合成して高解像度の画像データを作成する。ここで、輪郭部においては、足し込み処理画像と補間処理画像との比率は６対４に設定されている。一方、それ以外の部分においては、足し込み処理画像と補間処理画像との比率は５対５に設定されている。そして、画像形成部２９は、上記所定の比率で合成した高解像度の画像データを画質調整画像表示エリア１０３において表示する。これにより、原画像に対して、足し込み処理を行なった画像データとバイリニア法によって補間処理を行なった画像データとを基にして、両者の中間的な画像データを作成することができる。
【００４２】
プリントデータ生成部３０は、後段にて詳述する操作入力画面１００において選択された画像処理方法に基づいて、プリントステーション３に対してプリント出力を行なわせるために必要なプリントデータを生成する。
［プリントステーション３の構成］
プリントステーション３は、図２に示すように、内部に、２つの印画紙マガジン１１と、シートカッター１２と、バックプリント部１３と、プリント露光部１４と、処理槽ユニット１５と、コンベア１６と、ソータ１７（図１参照）と、印画紙搬送機構１８とを有している。
【００４３】
２つの印画紙マガジン１１は、プリントステーション３の内部においてロール状の印画紙Ｐを１つずつ収納しており、印画紙搬送機構１８によって適宜必要な量の印画紙Ｐが引き出される。
シートカッター１２は、印画紙搬送機構１８の一部と隣接するように配置されており、印画紙マガジン１１から引き出された印画紙Ｐをプリントサイズに切断する。
【００４４】
バックプリント部１３は、シートカッター１２の下流側であって印画紙搬送機構１８と隣接する位置に配置されており、プリントサイズに切断された印画紙Ｐの裏面側に、色補正情報やコマ番号等のプリント処理情報をプリント処理する。
プリント露光部１４は、バックプリント部１３の下流側における印画紙搬送機構１８に隣接するように配置されており、プリントサイズに切断された印画紙Ｐの表面に対して、プリントする撮影画像の露光を行う。また、プリント露光部１４には、副走査方向に搬送される印画紙Ｐに対して主走査方向に沿ってＲＧＢの３色のレーザ光線を照射する図示しないライン露光ヘッドを有している。
【００４５】
処理槽ユニット１５は、プリント露光部１４の下流側に配置されており、発色現像処理液を貯留する発色現像槽１５ａ、漂白定着処理液を貯留する漂白定着槽１５ｂ、安定処理液を貯留する安定処理層１５ｃを有している。そして、露光後の印画紙Ｐがこれらの各処理槽１５ａ〜１５ｃをこの順で経由しながら印画紙搬送機構１８によって搬送されることで、所望の写真プリント画像が印画紙Ｐの表面に形成される。
【００４６】
コンベア１６は、プリントステーション３の上部に露出しており、写真プリント画像が表面に形成されて乾燥処理後に排出された印画紙Ｐをソータ１７（図１参照）の方向へ搬送する。
ソータ１７は、プリントステーション３の前面側に鉛直方向に複数のトレイを並べた状態で配置されており、コンベア１６によって搬送されるプリント済の印画紙Ｐを、オーダ単位で各トレイに振り分ける（図１参照）。
【００４７】
印画紙搬送機構１８は、プリントステーション３の内部において、印画紙マガジン１１に収容されたロール状の印画紙Ｐを引き出すとともに、プリントサイズに切断された印画紙Ｐを、印画紙Ｐに対して行われる様々な処理に対応した搬送速度で搬送する。また、印画紙搬送機構１８は、印画紙Ｐの搬送方向におけるプリント露光部１４の上流側および下流側にそれぞれ配置されたチャッカー式搬送ユニット１８ａと、複数の挟持搬送ローラ対１８ｂとを有している。
【００４８】
＜画像データに対する拡大処理の設定画面＞
本実施形態の写真プリントシステム１において、入力されている低解像度の原画像データに対して拡大処理の設定を行う際に、モニタ２２に実際に表示される画面について説明すれば、以下の通りである。
本実施形態では、図６に示すように、操作入力画面１００において、オペレータがプリント出力を行なう画像データのうち、低解像度の画像データに対して通常のプリントサイズでプリント出力を行なった際に、例えば、ジャギーが目立つ目の粗い画像にならないように、上述した原画像データに対する拡大処理が行なわれる。
【００４９】
原画像表示エリア１０１は、図６に示すように、操作入力画面１００の左上部に配置されており、原画像を表示する。オペレータは、後段にて詳述する拡大処理後の画像と原画像とを比較しながら操作を行なうことができる。
拡大処理画像表示エリア１０２は、図６に示すように、操作入力画面１００のほぼ中央部付近に配置されており、足し込み処理部２６において足し込み処理が施された画像データを基にして画像形成部２９において作成された拡大処理画像を表示する。
【００５０】
画質調整画像表示エリア１０３は、図６に示すように、操作入力画面１００の右側に配置されており、上述した足し込み処理を行なった画像データと画像補間処理部２７において補間処理を行なった画像データとを合成して画像形成部２９が作成した拡大処理画像を表示する。
ここで、上述した拡大処理画像表示エリア１０２において表示される画像データと画質調整画像表示エリア１０３において表示される画像データとの差異について図６および図７を用いて説明すると以下の通りである。
【００５１】
拡大処理画像表示エリア１０２において表示される足し込み処理を行なった画像データは、比較的輪郭部分が明確に表示されるシャープな画像になる。しかし、画像データの濃度値の階調変化が多少滑らかではない場合もある。一方で、バイリニア法によって拡大処理を行なうと輪郭部分がやや曖昧な画像になる。その代わりに、画像データの濃度値の階調変化が滑らかな画像を得ることができる。そこで、本実施形態においては、画質調整画像表示エリア１０３において、原画像に対して、足し込み処理を行なった画像データと補間処理を行なった画像データとを合成した拡大処理画像がさらに表示される。
【００５２】
ここで、図７に示す、図６における拡大処理画像表示エリア１０２の領域ａの拡大画像である拡大処理画像ａと、画質調整画像表示エリア１０３における領域ｂの拡大画像である画質調整画像ｂと、を用いてその違いについて説明する。
拡大処理画像ａにおいては、図７に示すように、足し込み処理を行なった画像データでは、輪郭が明確な画像を得ることができる。しかし、濃度値の変化がやや滑らかさに欠ける画像となる。
【００５３】
一方、拡大処理画像ｂにおいては、図７に示すように、足し込み処理を行なった画像データと補間処理を行なった画像データとを基にして合成した画像データでは、輪郭部分の明確さは多少失われるが、濃度値の階調変化がより滑らかな画像が得られる。
そのため、オペレータは、拡大処理画像表示エリア１０２と画質調整画像表示エリア１０３とにおいてそれぞれ表示される原画像に対して拡大処理を行なった結果を比較する。そして、ユーザの好みや、プリントの用途、例えば、ポスターのようにやや離れた位置から観賞する、または通常の写真プリントのようにアルバム等に納めた状態で近接した位置で観賞するといった、それぞれの用途に合わせて原画像データに対する拡大処理方法を選択することができる。
【００５４】
チェックボックス１０４とチェックボックス１０５とは、それぞれ拡大処理画像表示エリア１０２と画質調整画像表示エリア１０３との下方に配置されている。そして、拡大処理画像表示エリア１０２に表示されている画像データをプリントする場合には、チェックボックス１０４をクリックしてチェックマークを表示させる。一方。画質調整画像表示エリア１０３に表示されている画像データをプリントする場合には、チェックボックス１０５をクリックしてチェックマークを表示させる。
【００５５】
データＮｏ．表示枠１０７は、原画像表示エリア１０１の下方に配置されており、操作入力画面１００において表示されている画像データがオーダに含まれる全画像データのうち何番目の画像データであるかを示している。例えば、「１／１００」とは、撮影コマ画像の画像データが全部で１００個あり、現在表示している画像データが最初の画像データであることを示している。また、データＮｏ．表示枠１０７の右側近傍に配置されている選択ボタン１０９がクリックされると、操作入力画面１００に表示される画像データが順次変更される。
【００５６】
プリントサイズ表示枠１０８は、図６に示すように、現在選択されているプリントサイズが表示される。また、プリントサイズ表示枠１０８の右側近傍に配置されている選択ボタン１１０をクリックすることでプリントサイズを変更することができる。
ここで、図５に示すように、メディアリーダ２０等によってパソコン２３に入力された原画像データに対して、例えば、プリントサイズ「Ｌ」が選択されると、足し込み処理部２６は、プリントステーション３に対して「Ｌ」サイズでプリントを行なう為に適切な画像データのサイズを問い合わせる。そして、この問い合わせた結果を基にして、原画像データに対して足し込み処理を行なうために最も適切な倍率Ｍを設定する。さらに、足し込み処理部２６は、この設定された倍率Ｍを基にして、足し込み処理に用いるＭ×Ｍ画素から成る正方形の画像データを選択して、原画像データに対して足し込み処理を行なう。
【００５７】
Ｏ.Ｋ.ボタン１０６は、操作入力画面１００の下方端部側に配置されており、操作入力画面１００における拡大処理の設定を完了するためのボタンである。
＜画像データに対する拡大処理の設定＞
ここで、本実施形態のパソコン２３による原画像に対する拡大処理の流れについて、図７に示すフローチャートと、上述したモニタ２２に表示される操作入力画面１００とを用いて説明すれば以下の通りである。
【００５８】
ステップＳ１では、オペレータは、選択ボタン１０９をクリックしてオーダに含まれる画像データの中から拡大処理の設定を行なう画像データを選択する。この際、データＮｏ．表示枠１０７において、選択された画像データが何番目の画像データかを表示する。また、選択された画像データに対して行なった拡大処理の設定は他の画像データに対しても自動的に適宜適用される。
【００５９】
ステップＳ２では、オペレータは、選択ボタン１１０をクリックしてプリントサイズを選択する。例えば、プリントサイズ「Ｌ」を選択すると、パソコン２３はプリントステーション３に対して原画像をプリントサイズ「Ｌ」でプリントするために最適な画像データのサイズを問い合わせて、これを基にして足し込み処理によって拡大する際の倍率Ｍを設定する。そして、倍率Ｍを基にして、足し込み処理に用いるＭ×Ｍの画素からなる正方形の画像データが設定される。ここでは、倍率Ｍとして、２倍が設定されている。このため、足し込み処理に用いる複数の濃度値を有する画像データとして、図４に示すように、画素Ｐ１〜Ｐ４よって形成される２×２の正方形の画素を含む正方形の画像データが用いられる。
【００６０】
ステップＳ３では、足し込み処理部２６は、ステップＳ２において設定された正方形の画像データを用いて、原画像に含まれる各画素に対して足し込み処理を行う。一方、画像補間処理部２７は、原画像に対して補間処理を行なう。
ステップＳ４では、図６に示すように、画像形成部２９は、ステップＳ３において足し込み処理を行なった画像データを基にして、原画像よりも高解像度の画像データを作成して拡大処理画像表示エリア１０２に表示する。また、画像形成部２９は、画質調整画像表示エリア１０３において、原画像に対して足し込み処理を行なった画像データと補間処理を行なった画像データとを判定部２８による識別結果を基にして、所定の比率で合成して作成した画像データを表示する。
【００６１】
ステップＳ５において、オペレータは、図６に示すように、拡大処理画像表示エリア１０２に表示される画像データと画質調整画像表示エリア１０３に表示される画像データのうち、よりユーザの要望に適した画像データを選択する。ここでは、画質調整画像表示エリア１０３において表示される画像データを選択するため、チェックボックス１０５をクリックしてチェックマークを付ける。
【００６２】
ステップＳ６では、オペレータは、図６に示すＯ.Ｋ.ボタン１０６をクリックして画像データに対する拡大処理の設定を完了させる。
［写真プリントシステム１の特徴］
（１）
本実施形態の写真プリントシステム１の備えるパソコン２３では、図３に示すように、濃度値が異なる２×２の画素を有する画像データを用いて、入力された原画像データに対して所定の領域ごとに足し込み処理を行なう足し込み処理部２６と、足し込み処理された画像データを基にして原画像よりも表示する画素数を増加させた画像データを作成する画像形成部２９とを備えている。
【００６３】
一般的に、デジタルカメラ等によって撮影された画像データのうち低解像度の画像データに対して、通常のプリントサイズで写真プリントを行なう場合には、例えば、画像データの単純拡大画像を基にしてバイリニア法等によって拡大処理が行なわれる。
しかし、このようなバイリニア法等による従来の補間処理方法では、例えば、単純拡大画像の形成や、濃度値の平均値を算出するといった処理が必要となるため処理に時間がかかるという問題があった。
【００６４】
そこで、本発明のパソコン２３では、複数の濃度値を有する画像データを用いて原画像データに対して足し込み処理を行なって画素数を増加させた画像データを作成する。
これにより、単純拡大画像データを形成して単純拡大画像や、濃度値の平均を算出するといった手間を省けるので、拡大処理を行なう際に要する画像データの処理時間を短縮することができる。
【００６５】
このため、例えば、結婚披露宴や運動会といったイベントにおいて、撮影した画像データが１００枚以上となるような場合においては、特にプリント処理に要する時間を短縮することができる。この結果、このような場合においてもユーザの来店中にプリント処理を完了して写真プリントを提供することができる。
（２）
本実施形態の写真プリントシステム１の備えるパソコン２３では、図３に示すように、入力された原画像データに対して補間処理を行なう画像補間処理部２７をさらに備えている。画像形成部２９は、画像補間処理部２７において、補間処理された画像データと足し込み処理部２６において足し込み処理された画像データとを合成処理して、原画像データよりも表示する画素数を増加させた画像データを作成する。
【００６６】
これにより、原画像に対して、足し込み処理を行なった画像データと補間処理を行なった画像データとを基にして、両者の中間的な画像データを作成することができる。
この結果、例えば、写真プリントをポスターのようにやや離れた位置から眺めるのか、または、アルバムに納めた状態で近い位置から眺めるのか、といった個々の用途に応じた画質に画像データを調整することができる。
【００６７】
（３）
本実施形態の写真プリントシステム１の備えるパソコン２３では、図３に示すように、５×５の正方形の画素の範囲ごとに、輪郭を含むか否かを判定する判定部２８をさらに備えている。画像形成部２９は、原画像に対して、補間処理された画像データと足し込み処理された画像データとを合成する比率を判定部２８における識別結果を基にして変更する。
【００６８】
これにより、輪郭を含む部分については輪郭がはっきりとした、いわゆる硬い印象を与える画像を、それ以外の部分には、濃度値の変化が滑らかな、いわゆる柔らかい印象を与える高解像度の画像データを作成することができる。
このため、入力された原画像データに対して、例えば、被写体の顔の輪郭部分を明確にしつつ、肌等の表面部分を滑らかにするために拡大処理によって画像を作成することができる。
【００６９】
この結果、画像データの目の粗さをさらに目立たないようにユーザの趣向に応じた画像データを作成することができる。
（４）
本実施形態の写真プリントシステム１の備えるパソコン２３では、所定の領域として１画素の領域ごとに足し込み処理を行なう。
【００７０】
このように、入力された原画像データ（１４４×１７６画素）のデータサイズが小さい場合には、足し込み処理を原画像データに含まれる１画素の領域ごとに行なう。また、一方で、例えば、入力する原画像データのデータサイズが大きい場合には、足し込み処理を原画像データに含まれる２×２画素の正方形領域ごとに行なう。
これにより、入力された画像データのデータサイズを踏まえて、足し込み処理を行なう所定の領域のサイズを設定することができる。
【００７１】
この結果、入力された原画像データのデータサイズに応じて足し込み処理を効率的に行なうことができる。
（５）
本実施形態の写真プリントシステム１の備えるパソコン２３では、画像補間処理部２７は、入力された原画像データに対して、バイリニア法によって補間処理を行なう。
【００７２】
これにより、バイリニア法によって得られた画像の階調変化が滑らかな画像データと足し込み処理によって得られた画像データとを合成して、原画像よりも表示する画素数を増加させた画像データを合成することができる。
［他の実施形態］
以上、本発明の一実施形態について説明したが、本発明は上記実施形態に限定されるものではなく、発明の要旨を逸脱しない範囲で種々の変更が可能である。
【００７３】
（Ａ）
上記実施形態では、本発明をパソコン２３として実現した例を挙げて説明した。しかし、本発明はこれに限定されるものではない。
例えば、上述した各ステップＳ１〜Ｓ５のうち少なくとも、ステップＳ３に含まれる入力された原画像に対して、足し込み処理部２６が複数の濃度値を有する画像データを用いて足し込み処理を行なう工程と、ステップＳ４に含まれる足し込み処理された画像データを基にして画像形成部２９が原画像よりも高解像度の画像データを作成する工程と、を含む画像処理方法をコンピュータに実行させる画像処理プログラムとして実現することもできる。
【００７４】
本発明を画像処理プログラムとして実現した場合でも、コンピュータによって所望の画像処理方法が実行されることで、上記実施形態にかかるパソコン２３と同様の効果を得ることができる。
（Ｂ）
上記実施形態では、画像形成部２９は、画像補間処理部２７がバイリニア法によって補間処理を行なった画像データと上記足し込み処理を行った画像データとを合成する例を挙げて説明した。しかし、本発明はこれに限定されるものではない。
【００７５】
例えば、画像補間処理部２７は、合成前の画像データとして、バイキュービック法によって補間処理が施された画像データを用いてもよい。これにより、バイリニア法を用いる場合と比較して、原画像に含まれるより広い領域の画素の濃度値を考慮した補間処理を行なうことができる。
そのため、画像形成部２９は、階調変化の滑らかな画像データをさらに基にして、原画像よりも表示する画素数を増加させた高解像度の画像データを合成することができる。
【００７６】
この場合にも、上記実施形態にかかるパソコン２３と同様の効果を得ることができる。  （Ｃ）
上記実施形態では、複数の濃度値を有する２×２画素の画像データを用いて足し込み処理を行なう例を挙げて説明した。しかし、本発明はこれに限定されるものではない。
例えば、足し込み処理後の画像において目の粗さやジャギー等が目立たない場合には、所望のプリントサイズに応じて、足し込み処理に用いる画像データのサイズを２×２画素よりも大きい画像データに変更してもよい。
【００７７】
この場合にも、上記実施形態にかかるパソコン２３と同様の効果を得ることができる。
また、例えば、拡大処理後の画像データにおいて、原画像データよりも縦または横方向に引き伸ばされた画像を作成したい場合には、複数の濃度値を有する画像データとして長方形の画像データを用いてもよい。
この場合には、縦または横方向のうち、原画像を一方向に引き伸ばした高解像度の画像データを作成することができる。
【００７８】
（Ｄ）
上記実施形態では、図６に示す操作入力画面１００において、原画像に対して、足し込み処理を行なった画像データと、前記画像データと補間処理を行なった画像データとを所定の比率で合成した画像データとを表示して、オペレータが原画像データに対する拡大処理方法を選択する例を挙げて説明した。しかし、本発明はこれに限定されるものではない。
【００７９】
例えば、原画像が携帯電話等によって撮影された低解像度の画像データである場合には、プリント出力を行なうプリントサイズを基準にして、パソコン２３が拡大処理方法を自動的に選択するようにしてもよい。より具体的には、例えば、３０ｍｍ×４０ｍｍや４０ｍｍ×５０ｍｍ程度の比較的小さいプリントサイズの場合には、パソコン２３は、原画像に対して足し込み処理によって拡大処理を自動的に行なう。一方、例えば、プリントサイズが、Ｌサイズ（８９ｍｍ×１１９ｍｍ）程度のサイズである場合や、それ以上のプリントサイズとなる場合には、原画像に対して、上記足し込み処理を行なった画像データと、補間処理を行なった画像データとを所定の比率で合成して拡大処理を自動的に行なう。
【００８０】
この場合には、プリントサイズを基準にした原画像に対する拡大処理方法がパソコン２３によって自動的に実行されるので、オペレータが拡大処理方法を設定する必要がなくなる。その結果、さらに処理時間を短縮することができる。
（Ｅ）
上記実施形態では、判定部２８の識別結果を基にして、輪郭部において足し込み処理画像と補間処理画像との比率を６対４として、一方で、それ以外の部分において足し込み処理画像と補間処理画像との比率を５対５として合成する例を挙げて説明した。しかし、本発明はこれに限定されるものではない。
【００８１】
例えば、被写体が動いている物か静止している物か、または、撮影条件が室内か野外か等の種々の撮影条件に合わせて合成する画像データの比率を適宜変更してもよい。
この場合には、入力された原画像データの撮影条件にあわせてより適した比率で画像データを合成することができる。
（Ｆ）
上記実施形態では、原画像データに対して、所定の領域として１画素、あるいは２×２画素の領域ごとに足し込み処理を行なう例を挙げて説明した。しかし、本発明はこれに限定されるものではない。
【００８２】
例えば、足し込み処理を行なった画像データの画質等に問題がない場合には、所定の領域として３×３画素以上の正方形領域に含まれる画素ごとに足し込み処理を行なってもよい。
この場合には、足し込み処理の回数を減らして処理時間をさらに短縮することができる。
【００８３】
（Ｇ）
上記実施形態では、複数の濃度値を有する画像データとして画素Ｐ１〜Ｐ４から成る２×２画素を用いて足し込み処理を行なう例を挙げて説明した。しかし、本発明はこれに限定されるものではない。
例えば、画像データに含まれる各画素の濃度値がある程度分布している場合には、複数の濃度値を有する画像データとして文字やキャラクターが表された画像データを用いてもよい。
【００８４】
また、例えば、複数の濃度値を有する画像データとして、中心部が白色で周辺部に向かうに従って徐々に黒色に変化していくようなグラデーションが表された画像データや、反対に中心部が黒色で周辺部に向かうに従って白色に変化するような画像データを用いてもよい。
これらの場合にも、上記実施形態にかかるパソコン２３において、２×２画素（Ｐ１〜Ｐ４）を用いて足し込み処理を行なった場合と同様の効果を得ることができる。
【００８５】
（Ｈ）
上記実施形態では、画像データに含まれる各画素のＲＧＢ各色の濃度値を用いて足し込み処理等の画像処理を行なう例を挙げて説明した。しかし、本発明はこれに限定されるものではない。
例えば、画像データに含まれる各画素の色をＣ（シアン）、Ｍ（マゼンダ）、Ｙ（イエロー）で表す場合には、これらの色の濃度値をそれぞれ用いて足し込み処理等の画像処理を行なってもよい。
【００８６】
さらに、例えば、画像データに含まれる各画素の色を輝度成分と色成分とで表す場合には、これらの成分の濃度値をそれぞれ用いて足し込み処理等の画像処理を行なってもよい。なお、この場合には、輝度成分についてのみ足し込み処理等の画像処理を行なってもよい。
これらの場合にも、上記実施形態にかかるパソコン２３において、画像データに含まれる各画素のＲＧＢ各色の濃度値を用いて足し込み処理等の画像処理を行なった場合と同様の効果を得ることができる。
【００８７】
（Ｉ）
上記実施形態では、操作入力画面１００において、オーダに含まれる各画像データのうち、１つの画像データについて足し込み処理等の拡大処理を行ない、その結果を用いて他の画像データに対しても同様に足し込み処理等の拡大処理を行なう例を挙げて説明した。しかし、本発明はこれに限定されるものではない。
【００８８】
例えば、足し込み処理等の画像処理の設定を各画像データに逐一行なってもよい。
この場合にも、上記実施形態にかかるパソコン２３と同様の効果を得ることができる。
但し、この場合には逐一拡大処理の設定を行なう為、プリント処理に時間を要するので、上記実施形態のように簡易的に拡大処理の設定を行なうほうがより好ましい。
（Ｊ）
上記実施形態では、画像補間処理部２７は、バイリニア法によって補間処理を行なう例を挙げて説明した。しかし、本発明はこれに限定されるものではない。
【００８９】
例えば、バイリニア法の代わりにニアレストネイバー法を用いて補間処理を行なってもよい。
この場合にも、上記実施形態にかかるパソコン２３と同様の効果を得ることができる。
但し、この場合にはバイリニア法によって補間処理を行なう場合よりもやや滑らかさにかける画像データとなるおそれがあるため、上記実施形態のようにバイリニア法によって補間処理の設定を行なうほうがより好ましい。
【００９０】
（Ｋ）
上記実施形態では、２４ビットの画像データを用いて足し込み処理等の画像処理を行なう例を挙げて説明した。しかし、本発明はこれに限定されるものではない。
例えば、画像データは２４ビット以上の画像データであってもよく、また、反対に８ビット程度の画像データであってもよい。
【００９１】
この場合にも、上記実施形態にかかるパソコン２３と同様の効果を得ることができる。
（Ｌ）
上記実施形態では、判定部２８は、原画像データの所定の範囲ごとに輪郭部分とそれ以外の部分とを、５×５の正方形の画素の範囲ごとに識別する例を挙げて説明した。しかし、本発明はこれに限定されるものではない。
【００９２】
例えば、判定部２８は、画像データに占める被写体の大きさの割合や撮影条件に合わせて、より大きな範囲ごとに輪郭部分とそれ以外の部分とを識別してもよいし、より小さな範囲ごとに識別してもよい。
この場合にも、上記実施形態にかかるパソコン２３と同様の効果を得ることができる。  （Ｍ）
上記実施形態では、画像処理装置がパソコン２３である例を挙げて説明した。しかし、本発明はこれに限定されるものではない。
【００９３】
例えば、プリントステーション３に制御装置を設けて、これを画像処理装置として用いてもよい。
この場合には、操作ステーション２が不要となるため省スペース化を図ることができる。
（Ｎ）
上記実施形態では、パソコン２３をオペレータが操作する例を挙げて説明した。しかし、本発明はこれに限定されるものではない。
【００９４】
例えば、パソコン２３をユーザが直接操作するようにしてもよい。
この場合には、オペレータの作業負担を減らすことができる。
（Ｏ）
上記実施形態では、パソコン２３は、現像された写真フィルム２ａやデジタルカメラ等で撮影されたデジタル画像データが保存されたメモリカード２ｂ等の記録媒体から画像データを取り込む例を挙げて説明した。しかし、本発明はこれに限定されるものではない。
【００９５】
例えば、取り込む画像データはインターネット等を介して離れた場所から送信されたものでもよい。
この場合にも、上記実施形態にかかるパソコン２３と同様の効果を得ることができる。
（Ｐ）
上記実施形態では、パソコン２３はプリントステーション３に対して原画像をプリントサイズ「Ｌ」でプリントするために最適な画像データのサイズを問い合わせて、これを基にして足し込み処理によって拡大する際の倍率Ｍを設定する例を挙げて説明した。しかし、本発明はこれに限定されるものではない。
【００９６】
例えば、パソコン２３に予めプリントステーション３においてプリンタサイズ「Ｌ」でプリントするために必要な画像データのサイズを記憶させておき、これを基にして足し込み処理によって拡大する倍率Ｍを設定してもよい。
この場合には、プリントステーション３に対して画像データのサイズを問い合わせる必要がなくなるので足し込み処理に要する時間をさらに短縮することができる。
【産業上の利用可能性】
【００９７】
本発明の画像処理装置は、低解像度の画像データに対して拡大処理に要する時間を従来よりも短縮することができるという効果を奏することから、低解像度の画像データに対して拡大処理を行う画像処理装置や画像処理プログラムに対して広く適用可能である。
【図面の簡単な説明】
【００９８】
【図１】本発明の一実施形態に係るパソコンを備えた写真プリントシステムを示す外観図。
【図２】図１の写真プリントシステムのプリントステーションの構成を示す概略図。
【図３】図１に含まれるパソコンにおいて形成される機能ブロックを示す図。
【図４】図３に含まれる足し込み処理部における足し込み処理方法を模式的に示す図。
【図５】図３に含まれる足し込み処理部の足し込み処理に用いる画像データ（Ｍ×Ｍ画素）の決定方法を模式的に示す図。
【図６】図１に含まれるモニタに表示される操作入力画面を示す図。
【図７】図６に示す拡大処理画像に含まれる領域ａと画質調整画像に含まれる領域ｂとをそれぞれ拡大して示した図。
【図８】本発明の一実施形態に係るパソコンによる原画像に対する拡大処理方法の流れを示すフローチャート。
【符号の説明】
【００９９】
１      写真プリントシステム
２      操作ステーション
２ａ    写真フィルム
２ｂ    メモリカード
３      プリントステーション
４      ケーブル
１１      印画紙マガジン
１２      シートカッター
１３      バックプリント部
１４      プリント露光部
１５      処理槽ユニット
１５ａ    発色現像槽
１５ｂ    漂白定着槽
１５ｃ    安定処理槽
１６      コンベア
１７      ソータ
１８      印画搬送機構
１８ａ    チャッカー式搬送ユニット
１８ｂ    挟持搬送ローラ対
２０      メディアリーダ
２１      フィルムスキャナ
２２      モニタ
２３      パソコン（画像処理装置）
２３ａ    キーボード
２３ｂ    マウス
２４      記憶部
２５      ＧＵＩ部
２６      足し込み処理部
２７      画像補間処理部
２８      判定部
２９      画像形成部
３０      プリントデータ生成部
１００    操作入力画面
１０１    原画像表示エリア
１０２    拡大処理画像表示エリア
１０３    画質調整画像表示エリア
１０４    チェックボックス
１０５    チェックボックス
１０６    Ｏ.Ｋ.ボタン
１０７    データＮｏ．表示枠
１０８    プリントサイズ表示枠
１０９    選択ボタン
１１０    選択ボタン
Ｏ      画素
Ｍ      画素
Ｐ      画素
Ｓ      ステップ
【図１】
0004442586.tif 000002
【図２】
0004442586.tif 000003
【図３】
0004442586.tif 000004
【図４】
0004442586.tif 000005
【図５】
0004442586.tif 000006
【図６】
0004442586.tif 000007
【図７】
0004442586.tif 000008
【図８】
0004442586.tif 000009